(57)【要約】【課題】電気かみそりにブラシ具起因の傷が付きにくく、さらには、ブラシ具の取り出し性を損なわない電気かみそりの収納ケースを提供することである。【解決手段】電気かみそりの収納ケース１において、ケース本体２側底部分にはブラシ具５を保持するブラシ保持部６が突設されており、このブラシ保持部６はその上側に載せられて収納される電気かみそりＲで押圧されることにより略水平方向に突出して弾性変形し、この弾性変形した突出部６２がブラシ具５の把持部５１の上側に係止することによって同ブラシ具４５保持するものであり、電気かみそりＲで押圧されない状態では、突出部６２がその弾性力で復元して係止による保持状態が解除されるようになしている。【選択図】図１
2013059370.tif 000002
【特許請求の範囲】
【請求項１】
電気かみそりを収納する上方に開口した箱型のケース本体と、このケース本体の上方開口を開閉する蓋体とを有し、前記電気かみそりの刃部分を清掃するブラシ具が前記ケース本体の内側底部分に納められる電気かみそりの収納ケースであって、前記ケース本体の内側底部分には前記ブラシ具を保持するブラシ保持部が突設されており、このブラシ保持部はその上側に載せられて収納される前記電気かみそりで押圧されることにより略水平方向に突出して弾性変形し、この弾性変形した突出部が前記ブラシ具の把持部の上側に係止することによって同ブラシ具を保持するものであり、前記電気かみそりで押圧されない状態では、前記突出部がその弾性力で復元して前記係止による保持状態が解除されるものである電気かみそりの収納ケース。
【請求項２】
前記ブラシ具の把持部には上下に貫通した係合孔が設けられており、前記ブラシ保持部は前記ケース本体の内側底部分に上方へ突設される棒部とこの棒部の上端部分に形成される前記突出部とを有しており、同ブラシ保持部が前記係合孔に挿通されて、前記突出部が前記電気かみそりで押圧されることにより膨らんで略水平方向に突出して弾性変形し、この弾性変形した突出部が前記係合孔の周縁上側に係止することによって同ブラシ具を保持するものであることを特徴とする請求項１記載の電気かみそりの収納ケース。
【請求項３】
前記突出部は中空構造であることを特徴とする請求項２記載の電気かみそりの収納ケース。
【請求項４】
前記ケース本体の内側底部分に前記ブラシ具が収納される凹部を形成し、この凹部の開口上縁部分に内側へ突出する前記突出部を設けて前記ブラシ保持部を突設し、前記突出部が前記電気かみそりで押圧されることにより略水平方向内側に突出して弾性変形し、この弾性変形した突出部が前記ブラシ具の把持部の端縁部分上側に係止することによって同ブラシ具を保持するものであることを特徴とする請求項１記載の電気かみそりの収納ケース。
【発明の詳細な説明】
【技術分野】
【０００１】
本願発明は、電気かみそりの収納ケースに関するものである。
【背景技術】
【０００２】
従来から、特許文献１に示されるような電気かみそりの収納ケース１０１が知られている。図８に示されるように、この電気かみそりの収納ケース１０１は、ケース本体１０２とケース本体１０２の開口上面を閉合する蓋体１０３とを有し、ケース本体１０２に形成された凹部１０４に、電気かみそりの刃部分を清掃するブラシ具１０５が収納されるように形成されているものである。
【先行技術文献】
【特許文献】
【０００３】
【特許文献１】実公昭６１―１２００２号公報
【発明の概要】
【発明が解決しようとする課題】
【０００４】
しかしながら、特許文献１に示される電気かみそりの収納ケース１０１では、電気かみそりとブラシ具１０５とを収納して電気かみそりの収納ケース１０１を持ち運んでいる際には、電気かみそりと収納されたブラシ具１０５とが振動により接触することで、電気かみそりにブラシ具１０５起因の傷が付く恐れがあった。
【０００５】
一方、電気かみそりとブラシ具１０５との間に、例えば、接触を防止する接触防止部材を配置すると、凹部１０４からブラシ具１０５を取り出しにくくなるという問題があった。
【０００６】
本願発明は上記問題に鑑みてなされたもので、その課題は、電気かみそりにブラシ具起因の傷が付きにくく、さらには、ブラシ具の取り出し性を損なわない電気かみそりの収納ケースを提供することである。
【課題を解決するための手段】
【０００７】
上記課題を解決するために、本願発明の電気かみそりの収納ケースは、電気かみそりを収納する上方に開口した箱型のケース本体と、このケース本体の上方開口を開閉する蓋体とを有し、前記電気かみそりの刃部分を清掃するブラシ具が前記ケース本体の内側底部分に納められる電気かみそりの収納ケースであって、前記ケース本体の内側底部分には前記ブラシ具を保持するブラシ保持部が突設されており、このブラシ保持部はその上側に載せられて収納される前記電気かみそりで押圧されることにより略水平方向に突出して弾性変形し、この弾性変形した突出部が前記ブラシ具の把持部の上側に係止することによって同ブラシ具を保持するものであり、前記電気かみそりで押圧されない状態では、前記突出部がその弾性力で復元して前記係止による保持状態が解除されるようになされているものである。
【０００８】
また、前記ブラシ具の把持部には上下に貫通した係合孔が設けられており、前記ブラシ保持部は前記ケース本体の内側底部分に上方へ突設される棒部とこの棒部の上端部分に形成される前記突出部とを有しており、同ブラシ保持部が前記係合孔に挿通されて、前記突出部が前記電気かみそりで押圧されることにより膨らんで略水平方向に突出して弾性変形し、この弾性変形した突出部が前記係合孔の周縁上側に係止することによって同ブラシ具を保持するようになされていることが好ましい。
【０００９】
また、前記突出部は中空構造であることが好ましい。
【００１０】
また、前記ケース本体の内側底部分に前記ブラシ具が収納される凹部を形成し、この凹部の開口上縁部分に内側へ突出する前記突出部を設けて前記ブラシ保持部を突設し、前記突出部が前記電気かみそりで押圧されることにより略水平方向内側に突出して弾性変形し、この弾性変形した突出部が前記ブラシ具の把持部の端縁部分上側に係止することによって同ブラシ具を保持するものであることが好ましい。
【発明の効果】
【００１１】
本願発明の電気かみそりの収納ケースにおいては、電気かみそりにブラシ具起因の傷が付きにくく、さらには、ブラシ具の取り出し性を損なわない。
【図面の簡単な説明】
【００１２】
【図１】本願発明の第１の実施形態に係る電気かみそりの収納ケースの断面図
【図２】本願発明の第１の実施形態に係るケース本体の上面図
【図３】本願発明の第１の実施形態に係るケース本体の部分断面図
【図４】電気かみそりが収納された状態における、本願発明の第１の実施形態に係るケース本体の部分断面図
【図５】本願発明の第２の実施形態に係るケース本体の上面図
【図６】本願発明の第２の実施形態に係るケース本体の部分断面図
【図７】電気かみそりが収納された状態における、本願発明の第２の実施形態に係るケース本体の部分断面図
【図８】特許文献１で示されている電気かみそりの収納ケースの斜視図
【発明を実施するための形態】
【００１３】
１．第１の実施形態
図１〜図４に基づいて、電気かみそりの収納ケース１に関する本願発明の第１の実施形態について説明する。図１は、本願発明の第１の実施形態に係る電気かみそりの収納ケース１の断面図である。図２は、本願発明の第１の実施形態に係るケース本体２の上面図である。図３は、本願発明の第１の実施形態に係るケース本体２の部分断面図である。図４は、電気かみそりＲが収納された状態における、本願発明の第１の実施形態に係るケース本体２の部分断面図である。
【００１４】
本実施形態における電気かみそりの収納ケース１は、電気かみそりＲを収納する上方に開口した箱型のケース本体２と、このケース本体２の上方開口を開閉する蓋体３とを有し、電気かみそりＲの刃部分を清掃するブラシ具５が前記ケース本体２の内側底部分に納められる電気かみそりの収納ケース１であって、前記ケース本体２の内側底部分には前記ブラシ具５を保持するブラシ保持部６が突設されており、このブラシ保持部６はその上側に載せられて収納される前記電気かみそりＲで押圧されることにより略水平方向に突出して弾性変形し、この弾性変形した突出部６２が前記ブラシ具５の把持部５１の上側に係止することによって同ブラシ具５を保持するものであり、前記電気かみそりＲで押圧されない状態では、前記突出部６２がその弾性力で復元して前記係止による保持状態が解除されるものである。また、前記ブラシ具５の把持部５１には上下に貫通した係合孔が設けられており、前記ブラシ保持部６は前記ケース本体２の内側底部分に上方へ突設される棒部６１とこの棒部６１の上端部分に形成される前記突出部６２とを有しており、同ブラシ保持部６が前記係合孔に挿通されて、前記突出部６２が前記電気かみそりＲで押圧されることにより膨らんで略水平方向に突出して弾性変形し、この弾性変形した突出部６２が前記係合孔の周縁上側に係止することによって同ブラシ具５を保持するものである。また、前記突出部６２は中空構造である。
【００１５】
［電気かみそりの収納ケース１の構成］
本実施形態の電気かみそりの収納ケース１の構成を図１〜図４に基づいて説明する。図１に示すように、本実施形態における電気かみそりの収納ケース１は、開口した凹状の箱型のケース本体２と、このケース本体２を開閉する蓋体３とを有する。ケース本体２は、電気かみそりＲ（図１〜３において図示せず）を収納できるような形状となっている。図１に示すように凹状のケース本体２の底部分には凹部４が形成されている。そして、この凹部４に、ブラシ具５を保持するブラシ保持部６が設けられている。図３に示すように、ケース本体２の内側部分と外側部分とは別の部材により形成されている。具体的には、内側の部分はゴム製の部材により形成されており、外側の部分はプラスチック製の部材により形成されている。図３と図４とに示すように、このブラシ保持部６は、ケース本体２の底部分側から上方に伸びている略円柱状の棒部６１と、この棒部６１の上端部分に形成される突出部６２とからなる。棒部６１は、ケース本体２の底部分側から伸びているプラスチック製の部材である。突出部６２は、ゴム部材により形成されており、中空構造の球状である。図３に示すように、電気かみそりＲが電気かみそりの収納ケース１に収納されていない場合において、略水平方向における突出部６２の幅は、棒部６１の幅よりわずかに大きい。このブラシ保持部６により保持されるブラシ具５は、把持部５１に上下に貫通した係合孔が設けられている。この係合孔に、ブラシ保持部６が挿通されることで、ブラシ具５が保持される。ここで、係合孔の大きさと突出部６２の大きさとは、ブラシ保持部６が係合孔に無理なく容易に挿通されるような関係になっている。
【００１６】
次に、図４に基づいて、ブラシ具５がブラシ保持部６に保持されており、このケース本体２に電気かみそりＲが収納されている状態について説明する。ケース本体２に、電気かみそりＲが受部７と接触するように収納されると、電気かみそりＲの荷重によって突出部６２は略水平方向に突出して弾性変形する。ここで、受部７とは、ケース本体２の内側部分であって、電気かみそりＲが本体ケース２に収納された場合に、電気かみそりＲと接触する部分である。このように変形することで、係合孔の大きさと突出部６２の大きさとは、ブラシ保持部６が係合孔にしっかりと固定されるような関係になっている。したがって、電気かみそりＲと、収納されたブラシ具５とが振動により接触することを防ぐことで、電気かみそりＲにブラシ具５起因の傷が付きにくくなる。なお、蓋体３によってケース本体２の上方開口を閉じることに伴って、蓋体３が電気かみそりＲを押圧するようにして、突出部６２が略水平方向に突出して弾性変形するようにしてもよい。
【００１７】
［電気かみそりの収納ケース１の作用効果］
このように、電気かみそりＲで押圧されることにより突出部６２が略水平方向に突出して弾性変形し、この弾性変形した突出部６２がブラシ具５の把持部５１の上側に係止することによってブラシ具５を保持するようになしている。さらには、電気かみそりＲで押圧されない状態では、突出部６２がその弾性力で復元して係止による保持状態が解除するようになしている。したがって、電気かみそりＲにブラシ具５起因の傷が付きにくく、さらには、ブラシ具の取り出し性は損なわれない。また、突出部６２が中空構造になっているので、電気かみそりＲで押圧されることによって、突出部６２が略水平方向に突出して弾性変形しやすくなっている。
【００１８】
２．第２の実施形態
図５〜図７に基づいて、電気かみそりの収納ケース１に関する本願発明の第２の実施形態について説明する。図５は、本願発明の第２の実施形態に係るケース本体２の上面図である。図６は、本願発明の第２の実施形態に係るケース本体２の部分断面図である。図７は、電気かみそりＲが収納された状態における、本願発明の第２の実施形態に係るケース本体２の部分断面図である。
【００１９】
本実施形態における電気かみそりの収納ケース１は、ケース本体２の内側底部分にブラシ具５が収納される凹部４を形成し、この凹部４の開口上縁部分に内側へ突出する突出部６２を設けてブラシ保持部６を突設し、突出部６２が電気かみそりＲで押圧されることにより略水平方向内側に突出して弾性変形し、この弾性変形した突出部６２がブラシ具５の把持部５１の端縁部分上側に係止することによってブラシ具５を保持するものである。本実施形態において、ブラシ保持部６は、凹部４と突出部６２とで形成されるものである。
【００２０】
［電気かみそりの収納ケース１の構成］
本実施形態における電気かみそりの収納ケース１は、ケース本体２に凹部４が形成されている。この凹部４は、ブラシ具５が収納できるようになっている。図６に示すように、第一実施形態と同様に、ケース本体２の内側部分と外側部分とは別の部材により形成されている。具体的には、内側の部分はゴム製の部材により形成されており、外側の部分はプラスチック製の部材により形成されている。ケース本体２のゴム製の内側の部分において、凹部４に収納されたブラシ具５の高さより上方に中空構造の部分を有する。
【００２１】
次に、図７に基づいて、ブラシ具５が凹部４に収納されており、ケース本体２に電気かみそりＲが収納されている状態について説明する。ケース本体２に、電気かみそりＲが受部７と接触するように収納されると、電気かみそりＲの荷重によって凹部４の開口上縁部分が変形し、内側へ突出する突出部６２が設けられる。このように変形することで、凹部４と突出部６２とで形成されるブラシ保持部６に、ブラシ具５がしっかりと固定される。したがって、電気かみそりＲと、収納されたブラシ具５とが振動により接触することを防ぐことで、電気かみそりＲにブラシ具５起因の傷が付きにくくなる。なお、蓋体３によってケース本体２の上方開口を閉じることに伴って、蓋体３が電気かみそりＲを押圧するようにして、凹部４の開口上縁部分が変形し、内側へ突出する突出部６２が設けられるようにしてもよい。
【００２２】
［電気かみそりの収納ケース１の作用効果］
このように、電気かみそりの収納ケース１を設けることで、突出部６２が電気かみそりＲで押圧されることにより略水平方向内側に突出して弾性変形し、この弾性変形した突出部６２がブラシ具５の把持部５１の端縁部分上側に係止することによってブラシ具５を保持するようになしている。さらには、電気かみそりＲで押圧されない状態では、突出部６２がその弾性力で復元して係止による保持状態が解除するようになしている。したがって、電気かみそりＲにブラシ具５起因の傷が付きにくく、さらには、ブラシ具５の取り出し性は損なわれない。さらには、本実施形態においては、上下に貫通した係合孔を有しないブラシ具５も保持することができる。
【符号の説明】
【００２３】
１  電気かみそりの収納ケース
２  ケース本体
３  蓋体
４  凹部
５  ブラシ具
６  ブラシ保持部
５１  把持部
６１  棒部
６２  突出部
Ｒ  電気かみそり
【図１】
2013059370.tif 000003
【図２】
2013059370.tif 000004
【図３】
2013059370.tif 000005
【図４】
2013059370.tif 000006
【図５】
2013059370.tif 000007
【図６】
2013059370.tif 000008
【図７】
2013059370.tif 000009
【図８】
2013059370.tif 000010